(57)【特許請求の範囲】
【請求項１】
蓋体（９）を開閉回動可能に蝶番結合した容器本体（１）に凹設したドラム収納部（４）に、化粧料収納用のドラム（６）を着脱自在に嵌め込み組付けして、前記ドラム収納部（４）に設けた組付け係止部（８）で係止保持するコンパクト容器において、前記蓋体（９）の内面に、閉姿勢状態で、下端縁を前記ドラム（６）の上端縁に、間近もしくは軽く接触して対向させて、該ドラム（６）のドラム収納部（４）からの離脱を阻止するドラム押さえ突片（１１）を突設し、前記ドラム（６）の上端縁に対向するドラム押さえ突片（１１）の下端縁の対向箇所を少なくとも二つ設定し、該対向箇所を、該対向箇所に上端縁を突き当てて傾動した前記ドラム（６）の浮き上がり端部の浮き上がり量が、前記組付け係止部（８）のドラム（６）に対する係止保持が解除されるストロークよりも小さくなる位置に設定して成るコンパクト容器。
【請求項２】
ドラム押さえ突片（１１）を、鏡（１２）取付け用の凹所を形成すべく、蓋体（９）の内面に突設された鏡組付け用突片（１０）の一部を突出させて構成した請求項１記載のコンパクト容器。
【請求項３】
ドラム押さえ突片（１１）を、鏡（１２）取付け用の凹所を形成すべく、蓋体（９）の内面に突設された鏡組付け用突片（１０）を避けた箇所に、下端縁をドラム（６）の上端縁だけに対向させて設けた請求項１記載のコンパクト容器。
【請求項４】
ドラム（６）の容器本体（１）に対する係止組付きを複数の組付け係止部（８）で達成し、ドラム押さえ突片（１１）が対向する前記ドラム（６）の上端縁箇所を、少なくとも二つ、異なる前記組付け係止部（８）間に設定した請求項１または２または３記載のコンパクト容器。
【請求項５】
ドラム（６）の容器本体（１）に対する係止組付きを複数の組付け係止部（８）で達成し、ドラム押さえ突片（１１）が対向する前記ドラム（６）の二つ以上の上端縁箇所の少なくとも一つを、前記組付け係止部（８）の直上に位置させた請求項１または２または３記載のコンパクト容器。
【発明の詳細な説明】
【０００１】
【発明の属する技術分野】
本発明は、化粧料を直接収納するドラムを、係止手段により着脱自在に組付ける、携帯用化粧料収納容器であるコンパクト容器に関するものである。
【０００２】
【従来の技術】
容器本体に対して、化粧料収納用のドラムを、係止手段を利用して着脱自在に組付ける構成とし、もって携帯する化粧料を詰め替えできるようにしたコンパクト容器が、例えば実開平２−８２２０８号公報および実公平３−２０２７３号公報等に開示されているように、良く知られている。
【０００３】
このコンパクト容器は、容器本体の凹状となったドラム収納部の内周面に、ドラムの外周面に設けた係止機能部分が、乗り越えて下方から係止する複数の係止機能部分を弾性変位可能に設けて構成された、ドラムを着脱自在に係止組付けする組付け係止部を有しており、係止保持されているドラムを、予め設定された横方向である一方方向に押しながら引き上げることにより、容器本体側の係止機能部分を弾性変位させながら、組付け係止部の係止を解除させて、ドラムを容器本体から簡単に離脱させることができるように構成されている。
【０００４】
【発明が解決しようとする課題】
しかしながら、上記した従来技術にあっては、容器本体に対するドラムの組付きを、組付け係止部だけで達成保持しているので、ハンドバックに収容した携帯状態等の外部衝撃が加わり易い状態では、コンパクト容器に作用した外部からの衝撃により、容器本体側の係止機能部分が不要に弾性変位して、ドラムに対する係止保持力が解除されてしまい、これによりドラムが半浮き状となってガタついて、化粧料が容器内に飛散するとか、化粧料が崩れるとか、さらには容器を開けた際にドラムが落下する等の不都合が発生する、と云う問題があった。
【０００５】
そこで、本発明は、上記した従来技術における問題点を解消すべく創案されたもので、コンパクト容器の閉姿勢状態において、例え外部衝撃により、容器本体側の係止機能部分が、ドラムに対する係止保持を解除する方向に弾性的に変位したとしても、組付け係止部のドラムに対する係止保持作用が維持されるようにすることを技術的課題とし、もって容器本体に対するドラムの組付きを安定して確保し、化粧料の使用を安全にかつ良好に行えるようにすることを目的とする。
【０００６】
【課題を解決するための手段】
上記技術的課題を解決する本発明の内、請求項１記載の発明の手段は、
蓋体を開閉回動可能に蝶番結合した容器本体に凹設したドラム収納部に、化粧料収納用のドラムを着脱自在に嵌め込み組付けして、ドラム収納部に設けた組付け係止部で係止保持するコンパクト容器であること、
蓋体の内面に、閉姿勢状態で、下端縁を容器本体に組付いたドラムの上端縁に、間近にもしくは軽く接触して対向させて、ドラムのドラム収納部からの離脱を阻止するドラム押さえ突片を突設すること、
ドラムの上端縁に対向するドラム押さえ突片の下端縁の対向箇所を少なくとも二つ設定し、この対向箇所を、この対向箇所に上端縁を突き当てて傾動したドラムの浮き上がり端部の浮き上がり量が、組付け係止部のドラムに対する係止保持が解除されるストロークよりも小さくなる位置に設定したこと、
にある。
【０００７】
コンパクト容器の閉姿勢状態では、容器本体に係止保持されて収納されたドラム、具体的には、容器本体に凹所状に形成されたドラム収納部に嵌め込み状に係止保持されたドラムの上端縁に対し、閉姿勢となった蓋体のドラム押さえ突片の下端縁が間近にもしくは軽く接触して対向位置している。
【０００８】
この閉姿勢状態のコンパクト容器に外部衝撃が作用して、組付け係止部が、ドラムに対する係止保持を解除する方向に弾性変位し、ドラムが容器本体に対して離脱する方向に変位もしくは変位しようとしても、直上のドラム押さえ突片に突き当たるので、離脱することができず、組付け係止部によるドラムの保持状態が維持される。さらに、ドラム押さえ突片の対向箇所と、ドラムの上端縁との間に隙間がある状態で、ドラムが離脱方向に傾動して変位した場合であっても、すなわち片浮き状に変位した場合であっても、浮き上がったドラムに対して組付け係止部の係止保持力が作用している状態で、ドラム押さえ突片の対向箇所にドラムの上端縁が突き当たって、ドラムのそれ以上の離脱方向への変位が阻止されるので、ドラムは、ドラム収納部から離脱することなく、組付け係止部によりドラム収納部に対する組付きが保持される。
【０００９】
請求項２記載の発明は、請求項１記載の発明の構成に、ドラム押さえ突片を、鏡取付け用の凹所を形成すべく、蓋体の内面に突設された鏡組付け用突片の一部を突出させて構成した、ことを加えたものである。
【００１０】
この請求項２記載の発明では、既存の鏡組付け用突片を利用してドラム押さえ突片に構成するので、このドラム押さえ突片の蓋体への一体付形が、蓋体の体裁を損なうことなく、きわめて簡単に達成される。
【００１１】
請求項３記載の発明は、請求項１記載の発明の構成に、ドラム押さえ突片を、鏡取付け用の凹所を形成すべく、蓋体の内面に突設された鏡組付け用突片を避けた箇所に、下端縁をドラムの上端縁だけに対向させて設けた、ことを加えたものである。
【００１２】
この請求項３記載の発明では、蓋体の鏡取付け構造に束縛されることなく、ドラム押さえ突片を構成することができるので、ドラム押さえ突片をドラムの望ましい上端縁箇所に対向させることが可能となり、また容器本体側の構造に関わりなく、ドラム押さえ突片の下端縁をドラムの上端縁に軽く接触状に対向させることが可能となる。
【００１５】
請求項４記載の発明は、請求項１記載の発明の構成に、ドラムの容器本体に対する係止組付きを複数の組付け係止部で達成し、ドラム押さえ突片が対向するドラムの上端縁箇所を、少なくとも二つ、異なる組付け係止部間に設定した、ことを加えたものである。
【００１６】
請求項５記載の発明は、請求項１記載の発明の構成に、ドラムの容器本体に対する係止組付きを複数の組付け係止部で達成し、ドラム押さえ突片が対向するドラムの二つ以上の上端縁箇所の少なくとも一つを、組付け係止部の直上に位置させた、ことを加えたものである。
【００１７】
この請求項４記載の発明および請求項５記載の発明では、ドラムが傾動して離脱方向に変位して、一部の組付け係止部がドラムに対して半係止状態となったとしても、必ず一つの組付け係止部のドラムに対する係止が確保されるので、ドラムの容器本体に対する不動な係止保持状態は保たれることになり、これによりコンパクト容器を開いた際に、ドラムが容器本体から外れて落ちると云うことがなく、コンパクト容器を安全に使用することができる。
【００１８】
【発明の実施の形態】
以下、本発明の実施例を、図面を参照しながら説明する。
図１は、本発明の二つの実施例を一緒に図示した、コンパクト容器の開状態の全体平面図で、コンパクト容器は、ドラム６を収納保持す容器本体１と、この容器本体１の後端部に開閉回動自在に蝶番結合部１４で蝶番結合された蓋体９とから構成され、容器本体１と蓋体９の前端部には、閉姿勢を係止保持する開閉係止部１３がそれぞれ設けられている。
【００１９】
容器本体１（以下、図１ないし図３参照）は、略四角深皿状の本体枠２内に、ドラム収納部４とパフ収納部５を左右に区画形成する中枠３を、嵌め込み状に超音波溶着により溶着固定して構成され、凹所状に形成されたドラム収納部４の内周面には、パフ収納部５との境界側に一つと、円弧状に湾曲した右側の前後対称位置に二つの、計三つの組付け係止部８が設けられている。
【００２０】
ドラム６は、ドラム収納部４に略ピッタリと嵌まり込む、平面形状が半長円状の深皿構造となっていて、その周壁外周面には、組付け係止部８が係止する係止凹部が周溝状に形成されており、容器本体１のドラム収納部４とパフ収納部５の境界壁部に切欠き形成した取り外し用欠部７から、指先で押圧操作されることにより、右側の二つの組付け係止部８を弾性変形させて、ドラム収納部４に対する着脱が行われる。
【００２１】
蓋体９は、容器本体１と同一平面形状をした伏せた皿状をしていて、内面中央に、左右に別れて半円弧状に突設された鏡組付け用突片１０により円形状に組付け凹部を形成し、この組付け凹部内に円形の鏡１２を固着している。
【００２２】
この蓋体９の内面にはドラム押さえ突片１１が突設されているが、このドラム押さえ突片１１は、図１に示すように、鏡組付け用突片１０を利用して構成（鏡組付け用突片１０の突出高さを必要分大きくする）しても良いし、単独に突設して設けて構成しても良い。
【００２３】
図示実施例の場合、容器本体１に対してドラム６が左側に偏って組付けられるのに対し、鏡１２は蓋体９の内面中央に取付けられることから、ドラム押さえ突片１１を鏡組付け用突片１０を利用して構成した第一実施例の場合は、コンパクト容器を閉姿勢とした際、ドラム押さえ突片１１は、図１の点線図示した位置関係でドラム６に対向することになるので、ドラム６の上端縁に対向するドラム押さえ突片１１の下端縁の対向箇所は、ドラム６の前後の直線状部分の左側寄り部分の対向する二箇所となり、またドラム押さえ突片１１の突出高さは、図２に示すように、コンパクト容器の閉姿勢状態で、下端縁が中枠３上面に突き当たらない突出高さに設定されている。
【００２４】
ドラム押さえ突片１１を単独に構成した第二実施例の場合は、ドラム押さえ突片１１は、ドラム６の右側の半円弧状部分の上端縁に下端縁全域を対向させることになり、またドラム押さえ突片１１の突出高さは、図３に示すように、コンパクト容器の閉姿勢状態で、下端縁がドラム６の上端縁に軽く接触するか、充分に近接する突出高さに設定されている。
【００２５】
第一実施例の場合、ドラム押さえ突片１１の突出高さが、下端縁が中枠３上面に突き当たらない値に規制しているため、ドラム６の上端縁とドラム押さえ突片１１の下端縁との間に或る程度大きい隙間が形成され、閉姿勢状態でこの隙間に応じた分だけドラム６が離脱方向に変位することが可能となる。
【００２６】
このように、第一実施例の場合は、ドラム６の上端縁とドラム押さえ突片１１の下端縁との間に隙間が形成され、コンパクト容器の閉姿勢状態で、ドラム６が傾動しながら離脱方向に変位することが可能となっているが、形成された隙間の大きさと、ドラム押さえ突片１１の対向箇所が対向するドラム６の二つの上端縁箇所の、ドラム６全体における位置との関係から、例えドラム６が上記した変位をしても、ドラム押さえ突片１１への突き当たりにより、組付け係止部８によるドラム６に対する係止保持は維持される。
【００２７】
このドラム６に対する組付け係止部８の係止保持を維持する、隙間の大きさと二つの対向箇所の位置との関係は、基本的には、隙間が小さいほど、二つの対向箇所を結ぶ仮想される線分を、ドラム６の平面形状の端部に位置させても良いことになるが、ドラム６の形状、大きさ、組付け係止部８の係止機能部の構造、配置等が大きく影響するので、一定に特定することはできない。
【００２８】
また、第一実施例の場合、ドラム押さえ突片１１の対向箇所が対向するドラム６の二つの対向箇所の一方が、ドラム収納部４の右端に位置する第一の組付け係止部８とドラム収納部４の左上側に位置する第二の組付け係止部８との間に位置し、他方が、第一の組付け係止部８とドラム収納部４の左下側に位置する第三の組付け係止部８との間に位置するので、例えドラム６が離脱方向に傾動しながら変位したとしても、必ず少なくとも一つの組付け係止部８のドラム６に対する完全係止が確保されることになり、ドラム６の容器本体１に対する組付き確保がより確実となる。
【００２９】
第二実施例の場合、図３に示すように、中枠３に邪魔されることなく、ドラム押さえ突片１１を、その下端縁が、ドラム６の上端縁にほぼ接触する突出高さ、およびドラム６の上端縁の半円弧状の左半分領域全体に対向するように形成することができるので、コンパクト容器の閉姿勢状態で、ドラム６が離脱方向に変位することは、ほぼ完全に阻止される。
【００３０】
なお、図示した第一実施例では、左側の鏡組付け用突片１０全体の突出高さを大きくしてドラム押さえ突片１１を形成したので、形成されたドラム押さえ突片１１の一部が中枠３に対向することになり、これによりその突出高さが制限されて隙間が形成されることになったが、中枠３を避けてドラム押さえ突片１１を形成することにより、ドラム押さえ突片１１の下端縁をドラム６の上端縁に略接触させる構造とすることが可能である。
【００３１】
また、第一実施例と第二実施例とは、別々に実施されるものとは限らず、両者を組合せて実施することも可能で、この場合、第二実施例の部分は、図１の半円弧状突条構造とする必要はなく、左側端の一部を残した単純な突片構造とすることができる。
【００３２】
【発明の効果】
本発明は、上記した構成となっているので、以下に示す効果を奏する。
コンパクト容器の閉姿勢状態では、蓋体に設けたドラム押さえ突片が、ドラムの離脱を阻止して、外部衝撃の有無に関わりなく、ドラムの容器本体に対する組付きを確保するので、化粧料をコンパクト容器に適正に収納保持した状態で、安全にかつ良好に使用することができる。
【００３３】
ドラム押さえ突片は、蓋体の内面に突設されただけのきわめて単純な構造であるので、ドラムの組付け配置構造に殆ど影響されることなく、簡単にかつ好適に実施することができる。さらに、コンパクト容器の閉姿勢状態で、例え、ドラム上端縁とドラム押さえ突片下端縁との間に隙間が形成されて、ドラムの離脱方向への変位が可能であっても、ドラム押さえ突片によるドラムのドラム収納部からの離脱阻止作用を確実に発揮させることができ、これによりドラム押さえ突片の蓋体に対する突設位置とか、突出高さ寸法とかの許容範囲が拡がり、もってドラム押さえ突片の蓋体に対する付形が容易となる。
【００３４】
請求項２記載の発明にあっては、突設構造をした既存の鏡組付け用突片を利用してドラム押さえ突片を設けるので、ドラム押さえ突片の蓋体への一体設を安価にかつ簡単に達成でき、さらに付設されたドラム押さえ突片により蓋体の体裁が損なわれる恐れの全くない。
【００３５】
請求項３記載の発明にあっては、ドラム押さえ突片を、所望する姿勢でドラムに対向するように設けることができるので、確実で安定したドラム押さえ作用を得ることができる。
【００３７】
請求項４および５記載の発明にあっては、例えドラムに離脱方向への変位が発生しても、複数の組付け係止部の少なくとも一つのドラムに対する係止結合が確保されるので、ドラムの容器本体に対する安定した組付きを、確実にかつ強固に達成維持することができる。
【図面の簡単な説明】
【図１】本発明の第一実施例と第二実施例を一緒に図示した、開状態の全体平面図。
【図２】図１に示した第一実施例の閉状態での、要部拡大縦断面図。
【図３】図１に示した第二実施例の閉状態での、要部拡大縦断面図。
【符号の説明】
１  ；  容器本体
２  ；  本体枠
３  ；  中枠
４  ；  ドラム収納部
５  ；  パフ収納部
６  ；  ドラム
７  ；  取り外し用欠部
８  ；  組付け係止部
９  ；  蓋体
１０；  鏡組付け用突片
１１；  ドラム押さえ突片
１２；  鏡
【図１】
0004478840.tif 000002
【図２】
0004478840.tif 000003
【図３】
0004478840.tif 000004